(57)【要約】【課題】余剰回生電力を適切に蓄えて，省エネを図る。【解決手段】実施形態の蓄電池監視装置は、商用交流電源からの電力が直流に変換されて供給され、鉄道車両への電力供給を行う直流き電線に対する充放電が可能な蓄電池の充放電状態を監視する蓄電池監視装置である。判別部は、蓄電池の継続充電状態の基準時間に対する割合が基準割合を超えた場合に、商用交流電源からの電力により蓄電池が充電されている状態であると判別する。不感帯制御部は、判別部により商用交流電源からの電力により蓄電池が充電されている状態であると判別された場合に、直流き電線の電圧に基づく当該直流き電線に対する蓄電池の充電状態への移行制御における不感帯をより拡げるように制御する。【選択図】図１
2015147535.tif 000002
【特許請求の範囲】
【請求項１】
商用交流電源からの電力が直流に変換されて供給され、鉄道車両への電力供給を行う直流き電線に対する充放電が可能な蓄電池の充放電状態を監視する蓄電池監視装置であって、
前記蓄電池の継続充電状態の基準時間に対する割合が基準割合を超えた場合に、前記商用交流電源からの電力により前記蓄電池が充電されている状態であると判別する判別部と、
前記判別部により前記商用交流電源からの電力により前記蓄電池が充電されている状態であると判別された場合に、前記直流き電線の電圧に基づく当該直流き電線に対する前記蓄電池の充電状態への移行制御における不感帯をより拡げるように制御する不感帯制御部と、
を備えた蓄電池監視装置。
【請求項２】
前記継続充電状態は、前記蓄電池に対する充電が所定の継続時間以上継続してなされる状態である、
請求項１記載の蓄電池監視装置。
【請求項３】
前記不感帯制御部は、前記蓄電池を前記充電状態に移行させる前記直流き電線の最低電圧が高くなるように前記不感帯を拡げる、
請求項１又は請求項２記載の蓄電池監視装置。
【請求項４】
前記蓄電池に対する充電状態か否かを検出する充電検出部と、
検出された前記充電状態の継続時間が継続基準時間を超えたか否かを検出する充電継続状態検出部と、を備え、
前記判別部は、前記充電継続状態検出部の検出結果に基づいて前記判別を行う、
請求項１乃至請求項３のいずれかに記載の蓄電池監視装置。
【請求項５】
前記充電継続状態検出部は、前記充電状態の継続が開始された時刻から継続が終了した時刻まで充電状態にあるとする、
請求項４記載の蓄電池監視装置。
【請求項６】
前記充電継続状態検出部の検出結果を時系列で記憶する記憶部を備え、
前記判別部は、前記記憶部に記憶された前記充電継続状態検出部の検出結果に基づいて所定時間毎に前記判別を行う、
請求項４又は請求項５記載の蓄電池監視装置。
【請求項７】
商用交流電源からの電力が直流に変換されて供給され、鉄道車両への電力供給を行う直流き電線に対する充放電が可能な蓄電池の充放電状態を監視する蓄電池監視装置において実行される蓄電池監視装置の制御方法であって、
前記蓄電池の継続充電状態の基準時間に対する割合が基準割合を超えた場合に、前記商用交流電源からの電力により前記蓄電池が充電されている状態であると判別する過程と、  前記商用交流電源からの電力により前記蓄電池が充電されている状態であると判別された場合に、前記直流き電線の電圧に基づく当該直流き電線に対する前記蓄電池の充電状態への移行制御における不感帯をより拡げるように制御する過程と、
を備えた蓄電池監視装置の制御方法。
【発明の詳細な説明】
【技術分野】
【０００１】
本発明の実施形態は、蓄電池監視装置および蓄電池監視装置の制御方法に関する。
【背景技術】
【０００２】
近年、環境問題、エネルギー問題に端を発した省エネ化が課題となっており、様々な分野においてエネルギー管理に関する研究が行われて、電力を多く使用する鉄道事業においても省エネが推進されている。
【０００３】
鉄道事業における有力な省エネ対策の１つとして、回生電力エネルギーの有効活用が挙げられる。現状では回生インバータを用いた駅内負荷への利用が主流であるが、蓄電池適用についても研究が進められている。
【０００４】
回生エネルギーは列車の減速時に発生する。近傍に力行列車が運行している場合は力行列車へ融通され、力行列車へ融通されず余剰となる回生電力エネルギー（以下、余剰回生電力という）は使用されず消失することとなる。
そこで、この消失されてしまう余剰回生電力を蓄えて利用する回生電力利用システムが検討されている。
【０００５】
回生電力利用システムにおいては、一般的に電力が余ると電圧は上昇傾向になることから、直流き電線の電圧が上昇すると、余剰回生電力が発生したと判断し、蓄電池に対する充電動作を行う。また、回生電力利用システムは、逆に直流き電線の電圧が基準電圧よりも低い場合には、電力が不足傾向にあるとして、商用電力の利用を抑制するために蓄電池に蓄えておいた余剰回生電力を直流き電線に放電する放電動作を行う。
【先行技術文献】
【特許文献】
【０００６】
【特許文献１】特許第３７７０１１０号公報
【発明の概要】
【発明が解決しようとする課題】
【０００７】
しかしながら、上述の回生電力利用システムにおける制御では、仮に余剰回生電力が発生していない状態で、余剰回生電力が発生していると判断されると、商用電力系統からの電力を蓄電池に蓄えてしまう虞がある。特に制御結果が悪い場合は、無負荷時に充電動作となり長い時間帯において商用電力系統を構成している変電所（整流器）と蓄電池との間で非効率的な電力の流れ（以下、横流という。）が発生する。
【０００８】
ところで、このような横流の発生要因の一つとして、直流き電系統の運用電圧が高く設定されている状況が挙げられる。
これは、重負荷時に電圧を定格値に近い状態で運用することを目的とするものであるが、直流き電線の電圧が高めになっているために無負荷時にも余剰回生電力があるものと判断されて、上述した横流が発生してしまう虞があった。
そして、横流が発生すると蓄電池の充電量(ＳＯＣ：State  Of  Charge)が上がり、本来蓄えるべき余剰回生電力を適切に蓄えることができなくなるため改善が必要である。
【０００９】
本発明は、上記に鑑みてなされたものであって、余剰回生電力を適切に蓄えて，省エネを図ることが可能な蓄電池監視装置および蓄電池監視装置の制御方法を提供することを目的としている。
【課題を解決するための手段】
【００１０】
実施形態の蓄電池監視装置は、商用交流電源からの電力が直流に変換されて供給され、鉄道車両への電力供給を行う直流き電線に対する充放電が可能な蓄電池の充放電状態を監視する蓄電池監視装置である。
そして、判別部は、蓄電池の継続充電状態の基準時間に対する割合が基準割合を超えた場合に、商用交流電源からの電力により蓄電池が充電されている状態であると判別する。
【００１１】
不感帯制御部は、判別部により商用交流電源からの電力により蓄電池が充電されている状態であると判別された場合に、直流き電線の電圧に基づく当該直流き電線に対する蓄電池の充電状態への移行制御における不感帯をより拡げるように制御する。
【図面の簡単な説明】
【００１２】
【図１】図１は、実施形態の直流き電系統の電力系の説明図である。
【図２】図２は、充放電制御部の概要構成ブロック図である。
【図３】図３は、監視装置の横流検知処理の処理フローチャートである。
【図４】図４は、横流が検出されていない正常運転時の説明図である。
【図５】図５は、横流発生時の説明図である。
【発明を実施するための形態】
【００１３】
次に図面を参照して実施形態について詳細に説明する。
図１は、実施形態の直流き電系統の電力系の説明図である。
直流き電系統の電力系１０は、商用交流電源としての交流系統１１と、交流系統１１の電圧を変圧する変圧器１２と、変圧器１２の出力した三相交流電流を整流して直流電力として直流き電線１４に供給する整流器１３と、を備えている。
【００１４】
また、電力系１０は、直流き電線１４に対する充放電がなされる蓄電池１５と、蓄電池１５の充放電を行うＤＣ／ＤＣコンバータ１６と、直流き電線１４の電圧Ｖｂに基づいて、ＤＣ／ＤＣコンバータ１６を制御するコンバータ制御信号Ｓｃを出力する充放電制御部１７と、充放電制御部１７内で生成される指令値データＰｂを時系列で記憶するデータベース１８と、充放電制御部１７と通信ネットワーク１９を介して接続され、データベース１８を参照して充放電制御部１７の監視及び制御を行う監視装置（蓄電池監視装置）２０と、を備えている。
【００１５】
上記構成において、電気鉄道車両（以下、単に電車という。）２１は、パンタグラフ２２を介して直流き電線１４から電力供給を受けるとともに、パンタグラフ２２を介して直流き電線１４に対して回生電力供給する。また、電車２１は、車輪２３及び線路２４を介して接地されている。
【００１６】
図２は、充放電制御部の概要構成ブロック図である。
充放電制御部１７は、直流き電線１４の電圧Ｖｂを予め設定された基準定格電圧Ｖｒｅｆにより除して、基準定格電圧Ｖｒｅｆに対する電圧Ｖｂの比率を求める除算器３１と、除算器３１の除算結果から基準定格電圧Ｖｒｅｆに相当する１の値を減算し、電圧Ｖｂと基準定格電圧Ｖｒｅｆとの差の基準定格電圧Ｖｒｅｆに対する百分率の値を出力する減算器３２と、減算器３２の減算結果が、−ａ％〜ｂ％（不感帯）の間である場合には、減算器３２の減算結果の出力を禁止し、減算器３２の減算結果が−ａ％未満あるいはｂ％超である場合に減算器３２の減算結果の出力を行う不感帯制御部３３と、を備えている。
【００１７】
さらに充放電制御部１７は、不感帯制御部３３を介して減算器３２の減算結果が入力された場合に、入力された減算器３２の減算結果に基づいて指令値データＰｂを生成し、出力する電圧調整制御部３４と、指令値データＰｂに基づいて、ＤＣ／ＤＣコンバータ１６にコンバータ制御信号Ｓｃを出力するＤＣ／ＤＣコンバータ制御部３５と、を備えている。
【００１８】
次に実施形態の概要動作を説明する。
直流き電系統の電力系１０の整流器１３は、交流系統１１から変圧器１２を介して供給された交流電力を整流して直流電力として直流き電線１４に供給する。
そして、直流き電線１４に供給された直流電力は、負荷としての電車２１に供給される。
【００１９】
このときの直流き電線１４の電圧Ｖｂは、除算器３１により予め設定された基準定格電圧Ｖｒｅｆにより除され、減算器３２により、除算結果から基準定格電圧Ｖｒｅｆに相当する１の値が減算されて基準定格電圧Ｖｒｅｆとの差の百分率の値とされて不感帯制御部３３に出力される。
不感帯制御部３３は、減算器３２の減算結果が、−ａ％〜ｂ％の間である場合には、減算器３２の減算結果の電圧調整制御部３４への出力を禁止する。
【００２０】
この結果、電圧調整制御部３４は、待機状態となり、ＤＣ／ＤＣコンバータ制御部３５も待機状態となり、蓄電池１５への直流き電線１４からの電力の充電、あるいは、蓄電池１５からの直流き電線１４への放電がなされることはない。
【００２１】
一方、不感帯制御部３３は、減算器３２の減算結果が−ａ％未満あるいはｂ％超である場合には、不感帯制御部３３は、減算器３２の減算結果を電圧調整制御部３４へ出力する。
【００２２】
これにより、電圧調整制御部３４は、減算器３２の減算結果が−ａ％未満である場合には、ＤＣ／ＤＣコンバータ１６により蓄電池１５の蓄電電力の電圧を調整して、直流き電線１４に供給するように、指令値データＰｂをデータベース１８及びＤＣ／ＤＣコンバータ制御部３５に出力する。
そして、データベース１８は、入力された指令値データＰｂを時系列で記憶する。
【００２３】
一方、ＤＣ／ＤＣコンバータ制御部３５は、入力された指令値データＰｂに基づいて、コンバータ制御信号Ｓｃを生成し、ＤＣ／ＤＣコンバータ１６にコンバータ制御信号Ｓｃを出力する。
ＤＣ／ＤＣコンバータ１６は、コンバータ制御信号Ｓｃに基づいて蓄電池１５の蓄電電力の電圧を調整（昇圧）して、直流き電線１４に供給する放電状態へと移行する。
【００２４】
また、電圧調整制御部３４は、減算器３２の減算結果が＋ｂ％超である場合には、ＤＣ／ＤＣコンバータにより直流き電線１４の電圧Ｖｂを調整（降圧）して、蓄電池１５を充電するように、指令値データＰｂをデータベース１８及びＤＣ／ＤＣコンバータ制御部３５に出力する。
【００２５】
これにより、データベース１８は、入力された指令値データＰｂを時系列で記憶する。
一方、ＤＣ／ＤＣコンバータ制御部３５は、ＤＣ／ＤＣコンバータ１６にコンバータ制御信号Ｓｃを出力し、ＤＣ／ＤＣコンバータ１６は、直流き電線１４の電圧を調整して、蓄電池１５を充電する充電状態へと移行する。
【００２６】
ここで、監視装置２０の動作について説明する。
図３は、監視装置の横流検知処理の処理フローチャートである。
監視装置２０において、横流検知処理は、一定周期毎（例えば、３０分あるいは１時間）に行われている。
【００２７】
まず、監視装置２０は、継続充電状態を検出するための充電継続期間をカウントするための変数ｃｏｕｎｔｅｒ＝０とし、指令値データＰｂのサンプリングタイミングの時系列順を表す変数ｉｎｄｅｘ＝１とする（ステップＳ１１）。
【００２８】
次に監視装置２０は、入力された指令値データＰｂの評価結果（充電状態であるか否か）を格納する変数Ｓｉｇｎａｌ（１：９９９９９）、すなわち、変数Ｓｉｇｎａｌ（１）〜Ｓｉｇｎａｌ（９９９９９）を全て「０」（＝非充電状態に相当）にリセットする（ステップＳ１２）。ここで、例えば、サンプリング周期を１秒とした場合には、サンプリング開始から９９９９９秒（＝約２８時間）の間の評価結果を格納可能となっている。
【００２９】
続いて、監視装置２０は、充放電制御部１７を介してデータベース１８から、判別を行っていない指令値データＰｂを読み込む（ステップＳ１３）。
続いて、監視装置２０は、評価対象の指令値データＰｂが終了した（なくなった）か否かを判別する（ステップＳ１４）。
【００３０】
ステップＳ１４の判別において、評価対象の指令値データＰｂがまだある場合には（ステップＳ１４；Ｎｏ）、監視装置２０は、当該指令値データＰｂが充電状態に対応するものであるか否かを判別する（ステップＳ１５）。
【００３１】
ステップＳ１５の判別において、当該指令値データＰｂが充電状態に対応するものではない、すなわち、非充電状態である場合には（ステップＳ１５；Ｎｏ）、監視装置２０は、変数ｃｏｕｎｔｅｒが３０を超えたか、すなわち、それまでに充電状態が３０秒以上継続してなされていたか（＝３０回以上連続して充電状態に対応する指令値データＰｂが読み込まれたか）否かを判別する（ステップＳ１６）。
【００３２】
ステップＳ１６の判別において、変数ｃｏｕｎｔｅｒが３０を超えている場合には（ステップＳ１６；Ｙｅｓ）、監視装置２０は、当該時点の変数ｉｎｄｅｘの値から変数ｃｏｕｎｔｅｒの値を差し引いた値を第１区間変数Ａの値とし、変数ｉｎｄｅｘの値を第２区間変数Ｂの値とし、変数Ｓｉｇｎａｌ（Ａ：Ｂ）＝１とする。
【００３３】
すなわち、変数Ｓｉｇｎａｌ（Ａ）〜Ｓｉｇｎａｌ（Ｂ）を全て「１」（＝充電状態に相当）にセットし（ステップＳ１７）、処理をステップＳ１８に移行する。換言すれば、充電状態（充電動作）が途切れた時点で変数ｃｏｕｎｔｅｒの値を確認し、３０秒以上充電状態が継続していた場合には、充電状態が検出されていた期間に対応する、変数Ｓｉｇｎａｌ（Ａ）〜Ｓｉｇｎａｌ（Ｂ）を全て「１」とするのである。
【００３４】
ステップＳ１６の判別において、変数ｃｏｕｎｔｅｒが３０を超えていない場合には（ステップＳ１６；Ｎｏ）、監視装置２０は、充電継続期間が３０秒未満であるので、交流系統１１による蓄電池１５の充電ではなく、回生電力による充電であるとみなし、変数ｃｏｕｎｔｅｒをリセットして、変数ｃｏｕｎｔｅｒ＝０とする（ステップＳ１８）。
続いて、監視装置２０は、変数ｉｎｄｅｘに１を加算する（ステップＳ２０）。すなわち、
ｉｎｄｅｘ＝ｉｎｄｅｘ＋１
として、処理を再びステップＳ１３に移行し、以下同様の処理を繰り返すこととなる。
【００３５】
一方、ステップＳ１４の判別において、評価対象の指令値データＰｂがもう無い場合には（ステップＳ１４；Ｙｅｓ）、監視装置２０は、変数Ｓｉｇｎａｌ（１：ｉｎｄｅｘ）を評価する（ステップＳ２１）。
【００３６】
ここで、変数Ｓｉｇｎａｌについてより具体的に説明する。
変数Ｓｉｇｎａｌの値は、０又は１であり、評価対象の期間において、全く充電がなされなかった場合には、Ｓｉｇｎａｌ（１）〜Ｓｉｇｎａｌ（ｉｎｄｅｘ）は、全て０となる。
【００３７】
一方、評価対象の期間の全期間において充電がなされていた場合には、Ｓｉｇｎａｌ（１）〜Ｓｉｇｎａｌ（ｉｎｄｅｘ）は、全て１となる。
したがって、評価対象の期間において、変数Ｓｉｇｎａｌ（１）〜Ｓｉｇｎａｌ（ｉｎｄｅｘ）の値の総和は、最大値で変数ｉｎｄｅｘの値と等しくなり、最小値は、０となる。
【００３８】
これらの結果、変数Ｓｉｇｎａｌ（１）〜Ｓｉｇｎａｌ（ｉｎｄｅｘ）の値の総和を、変数ｉｎｄｅｘの値で除した値の百分率（パーセンテージ）の値は、０〜１００（％）となる。
【００３９】
ところで、上述したように、回生電力に起因する蓄電池１５の充電が３０秒以上継続することはまれであるため、３０秒以上の蓄電池１５の充電が継続すると言うことは、交流系統１１から変圧器１２及び整流器１３を介して、蓄電池１５への充電がなされている横流が生じている可能性が高い。
さらにこの３０秒以上の継続充電の比率が評価対象の期間において、所定の比率以上となれば、ほぼ確実に横流が生じているものと考えられる。
【００４０】
そこで、本実施形態においては、変数Ｓｉｇｎａｌ（１）〜Ｓｉｇｎａｌ（ｉｎｄｅｘ）の値の総和を、変数ｉｎｄｅｘの値で除した値の百分率を算出し、算出結果である継続充電率が所定の判定基準値（本実施形態では、５０％）を超えている場合には、監視装置２０は、横流が検知されたものとして判定するようにしている（ステップＳ２１）。
このように監視装置２０において、横流が検知された場合には、監視装置２０は、その旨を不感帯制御部３３に通知する。
【００４１】
これにより不感帯制御部３３は、直流き電線１４に生じた回生電力を吸収し、蓄電池１５の充電制御を行わない不感帯を、より充電を行わない非充電側に例えば１％拡げることとなる。
この結果、不感帯を拡げる前と比較して、充電が行われる直流き電線１４の電圧範囲が狭められることとなる。
【００４２】
上述したように、監視装置２０において、横流検知処理は、一定周期毎に行われているので、横流が検知される度に不感帯が非充電側に拡がることとなり、いずれは、横流が抑制されることとなる。
【００４３】
一方、ステップＳ１５の判別において、当該指令値データＰｂが充電状態に対応するものである、すなわち、充電状態である場合には（ステップＳ１５；Ｙｅｓ）、監視装置２０は、変数ｃｏｕｎｔｅｒに１を加算する（ステップＳ１９）。すなわち、
ｃｏｕｎｔｅｒ＝ｃｏｕｎｔｅｒ＋１
として処理する。この変数ｃｏｕｎｔｅｒは、充電状態が検出される限り、ずっと１が加算され続けることとなる。
【００４４】
続いて、監視装置２０は、変数ｉｎｄｅｘに１を加算する（ステップＳ２０）。すなわち、
ｉｎｄｅｘ＝ｉｎｄｅｘ＋１
として、処理を再びステップＳ１３に移行し、以下同様の処理を繰り返すこととなる。
【００４５】
ここで、具体例を挙げて、横流検出について説明する。
図４は、横流が検出されていない正常運転時の説明図である。
図４（ａ）は、直流き電線１４の電圧変化を示す図である。
また図４（ｂ）は、ＤＣ／ＤＣコンバータ１６の出力電力の説明図である。図４（ｂ）においては、正の電力は、蓄電池１５の充電電力であり、負の電力は、蓄電池１５の放電電力を表している。
【００４６】
また、図４（ｃ）は、変数Ｓｉｇｎａｌ（１）〜Ｓｉｇｎａｌ（ｉｎｄｅｘ）の値を時系列で示した説明図であり、充電動作が３０秒以上継続した場合に変数Ｓｉｇｎａｌ（ｘ）［ｘ＝１〜ｉｎｄｅｘ］の値は、“１”となっている。
【００４７】
図４の例は、直流き電線１４の電圧変化を５時３８分〜６時３０分まで行った場合のものであり、この５２分の間に３０秒以上の継続充電がなされた割合である継続充電率は、８．４％であり、図４の例の場合には、交流系統１１（変電所）と蓄電池１５との間で直接的に充電がなされる横流が検出され無かったものとされる。
【００４８】
図５は、横流発生時の説明図である。
図５においては、理解の容易のため、横流発生の極端な例として、蓄電池１５が満充電状態に至った場合を例としているが、実際には、回生電力を有効に回収するため、蓄電池１５が満充電状態に至ることはないように設計されている。
図５（ａ）は、横流発生時の直流き電線１４の電圧変化を示す図である。
【００４９】
また図５（ｂ）は、ＤＣ／ＤＣコンバータ１６の出力電力の説明図である。図５（ｂ）においては、正の電力は、蓄電池１５の充電電力であり、負の電力は、蓄電池１５の放電電力を表している。
また、図５（ｃ）は、変数Ｓｉｇｎａｌ（１）〜Ｓｉｇｎａｌ（ｉｎｄｅｘ）の値を時系列で示した説明図であり、充電動作が３０秒以上継続した場合に変数Ｓｉｇｎａｌ（ｘ）［ｘ＝１〜ｉｎｄｅｘ］の値は、“１”となっている。
【００５０】
図５の例は、図４の場合と同様に、直流き電線１４の電圧変化を５時３８分〜６時３０分まで行った場合のものであるが、６時１５分に至った時点で、一旦満充電状態となり、蓄電池１５の放電がなされる時刻（＝６時１８分）までは、全く充電が行えなくなり、再び６時１９分に至った時点で満充電状態となり、それ以降は、６時３０分まで全く充電が行えなくなっている。
【００５１】
この場合には、直流き電線１４の電圧変化を５時３８分〜６時３０分まで行った５２分の間に３０秒以上の継続充電がなされた割合である継続充電率は、６９．９％であり、算出結果が上述した所定の判定基準値（本実施形態では、５０％）を超えているので、交流系統１１（変電所）と蓄電池１５との間で直接的に充電がなされる横流が発生したものと検出され、この後、不感帯制御部３３において、不感帯が非充電側に拡げられ、徐々に横流の発生が抑制されていくこととなる。
【００５２】
以上の説明のように本実施形態によれば、蓄電池１５の充電状態、特に充電状態の継続状態を分析することで、交流系統１１（変電所）と蓄電池１５との間で直接的に充電がなされる横流を確実に検出することができるとともに、不感帯を非充電側に拡げることにより横流を抑制することができる。
【００５３】
本実施形態の蓄電池監視装置は、ＣＰＵなどの制御装置と、ＲＯＭ（Read  Only  Memory）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【００５４】
本実施形態の蓄電池監視装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００５５】
また、本実施形態の蓄電池監視装置で実行される制御プログラムを、インターネット等のネットワークに接続されたコンピュータ上に格納し、ネットワーク経由でダウンロードさせることにより提供するように構成しても良い。また、本実施形態の蓄電監視装置で実行される制御プログラムをインターネット等のネットワーク経由で提供または配布するように構成しても良い。
また、本実施形態の蓄電池監視装置の制御プログラムを、ＲＯＭ等に予め組み込んで提供するように構成してもよい。この場合、ＲＯＭ等に組み込まれる制御プログラムは、商用交流電源からの電力が直流に変換されて供給され、鉄道車両への電力供給を行う直流き電線に対する充放電が可能な蓄電池の充放電状態を監視する蓄電池監視装置をコンピュータにより制御するための制御プログラムであり、前記蓄電池の継続充電状態の基準時間に対する割合が基準割合を超えた場合に、前記商用交流電源からの電力により前記蓄電池が充電されている状態であると判別する判別し、前記商用交流電源からの電力により前記蓄電池が充電されている状態であると判別された場合に、前記直流き電線の電圧に基づく当該直流き電線に対する前記蓄電池の充電状態への移行制御における不感帯をより拡げるよう、コンピュータを動作させる。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１０    電力系
１１    交流系統
１２    変圧器
１３    整流器
１４    直流き電線
１５    蓄電池
１６    ＤＣ／ＤＣコンバータ
１７    充放電制御部
１８    データベース
１９    通信ネットワーク
２０    監視装置
２１    電車
３１    除算器
３２    減算器
３３    不感帯制御部
３４    電圧調整制御部
３５    ＤＣ／ＤＣコンバータ制御部
Ｐｂ    指令値データ
Ｓｃ    コンバータ制御信号
【図１】
2015147535.tif 000003
【図２】
2015147535.tif 000004
【図３】
2015147535.tif 000005
【図４】
2015147535.tif 000006
【図５】
2015147535.tif 000007